(57)【要約】【課題】吸収性コアの突出部の幅方向への液の拡散性に優れるとともに、突出部の両側の高密度部で液が保持され易く、吸収性能及び漏れ防止性能に優れた吸収性物品を提供すること。【解決手段】吸収性物品の前後方向に長い形状の吸収性コア４を備えた吸収性物品であって、吸収性コア４は、その幅方向に、中央域４１及びその両側の側方域４５，４５を有し、中央域４１は、側方域それぞれの上面より上方に突出した突出部５を有している。吸収性コア４は、中央域４１と側方域４５とが一体成形されているとともに、中央域４１の両側部には突出部５よりも密度が高く側方域４５よりも坪量の高い高密度部４１ａを有している。突出部５の肌当接面には、長手方向に沿って、吸収性コアの形成材料の坪量を減らして形成された、非肌当接面側に底部５０ｂを有する縦溝５０が形成されており、縦溝５０は開口部５０ａよりも底部５０ｂの幅方向長さが狭くなっている。【選択図】図２
2015112235.tif 000002
【特許請求の範囲】
【請求項１】
吸収性物品の前後方向に長い形状の吸収性コアを備えた吸収性物品であって、
前記吸収性コアは、その幅方向に、中央域及びその両側に位置する側方域を有し、該中央域は、該側方域それぞれの上面より上方に突出した突出部を有しており、
前記吸収性コアは、前記中央域と前記側方域とが一体成形されているとともに、該中央域の幅方向両側部には前記突出部よりも密度が高く、前記側方域よりも坪量の高い高密度部を有しており、
前記突出部の肌当接面には、該吸収性コアの長手方向に沿う、吸収性コアの形成材料の坪量を減らして形成された、非肌当接面側に底部を有する縦溝が形成されており、
前記縦溝は開口部よりも前記底部の幅方向長さが狭くなっている、吸収性物品。
【請求項２】
前記突出部には、吸収性コアの幅方向に向かって延びる横溝が形成されている、請求項１記載の吸収性物品。
【請求項３】
前記吸収性コアの肌当接面側には液透過性の表面シートが配され、該表面シートと該吸収性コアとが一体的に押圧された押圧部が前記中央域に設けられており、
前記縦溝又は横溝では、前記押圧部で前記表面シートが陥入している、請求項１又は２記載の吸収性物品。
【請求項４】
前記吸収性コアの側方域の肌当接面側には長手方向に延びる側方縦溝が形成されており、該側方縦溝は開口部と底部の幅方向長さが略同じである、請求項１〜３の何れか１項記載の吸収性物品。
【請求項５】
前記高密度部が、前記側方縦溝と接している請求項１〜４の何れか１項記載の吸収性物品。
【請求項６】
前記縦溝の底部が、該側方域の上面よりも下方に位置する、請求項１〜５の何れか１項に記載の吸収性物品。
【請求項７】
前記縦溝の底部が、該側方縦溝の底面よりも下方に位置する、請求項１〜６の何れか１項に記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来、生理用ナプキン等の吸収性物品における吸収体に、着用者の肌の凹凸形状に沿うように隆起部を設けることが知られており、またその隆起部に溝を形成することも知られている。例えば、特許文献１，２には、溝を有する隆起部を吸収体の中央部付近に備えた吸収体が開示されている。
【０００３】
また、特許文献３には、排泄部対向部に設けられた中高部の両側部を含む領域に高密度領域を配することによって体液の拡散と保持性能を高める技術が開示されている。
【先行技術文献】
【特許文献】
【０００４】
【特許文献１】特開２００９−１１２５９０号公報
【特許文献２】特開２０１２−１２５３６６号公報
【特許文献３】特開２０１１−１２０６９６号公報
【発明の概要】
【発明が解決しようとする課題】
【０００５】
特許文献１における吸収体は、上層及び下層を有する積層構造を有すると共に、上層が存在して隆起部を形成している中央域に上下層に亘る窪みが形成されている。しかし、その窪みは、熱エンボス加工により形成されたもので、窪みの底部付近が圧密化されているため、窪みの底部付近から他の部分に液が拡散しにくく、ウエットバックの防止性能や吸収体の吸収容量の有効活用の点で改善の余地がある。
また、特許文献２には、多数のブロック状の凸部を有する吸収体に、同様に多数の凸部からなる隆起部を設け、中高部のブロック吸収部の密度を、周囲よりも高めたものが開示されている。しかし、中高部のブロック吸収部の密度は前記ブロック吸収部全体を圧縮することにより高められており、前記ブロック吸収部の密度は均一となることから液排泄部から周囲部にかけての体液拡散性に改善の余地があり、ひいてはウェットバックの防止性能や吸収体の吸収容量の有効活用の点で改善の余地がある。
また、特許文献３では、排泄部対向部に設置された中高部を有し、中高吸収体の吸収物品長手方向に沿う両側部を圧縮し、吸収性物品幅方向の中央部が相対的に密度が低く中高部の側部の少なくとも一部を含む側方部が相対的に密度が高くした吸収体が開示されている。しかし、液を素早く透過する縦溝を有していないため、液の吸収速度が遅く着用者に素早くドライ感を提供する点、液を吸収体内部まで速やかに浸透させ吸収体の吸収容量を有効に活用する点で改善の余地がある。
【０００６】
したがって本発明の課題は、上述した従来技術の性能をより高め得る吸収性物品を提供することにある。
【課題を解決するための手段】
【０００７】
本発明は、吸収性物品の前後方向に長い形状の吸収性コアを備えた吸収性物品であって、前記吸収性コアは、その幅方向に、中央域及びその両側に位置する側方域を有し、該中央域は、該側方域それぞれの上面より上方に突出した突出部を有しており、前記吸収性コアは、前記中央域と前記側方域とが一体成形されているとともに、該中央域の幅方向両側部が圧縮されてその幅方向内側に位置する前記突出部よりも密度が高い高密度部を有しており、前記突出部の肌当接面には、該吸収性コアの長手方向に沿う、吸収性コアの形成材料の坪量を減らして形成された、非肌当接面側に底部を有する縦溝が形成されており、前記縦溝は開口部よりも前記底部の幅方向長さが狭くなっている、吸収性物品を提供するものである。
【発明の効果】
【０００８】
本発明の吸収性物品は、体液吸収性能が高く、体液の横漏れ抑制に有効である。
【図面の簡単な説明】
【０００９】
【図１】図１は、本発明の一実施形態である生理用ナプキンを示す斜視図である。
【図２】図２（ａ）は、図１のＩＩａ−ＩＩａ線断面図であり、図２（ｂ）は、図１のＩＩｂ−ＩＩｂ線断面図である。
【図３】図３は、中央域の両側部に、突出部よりも密度が高く側方域よりも坪量の高い高密度部を形成する方法の一例の説明図である。
【図４】図４は、図１の生理用ナプキンの着用状態における吸収性コアの変形状態を示す模式図である。
【図５】図５は、図１に示す生理用ナプキンの吸収性コアの製造に好ましく使用される積繊ドラムの周方向に沿う断面を示す模式図である。
【図６】図６は、縦溝に陥入した圧縮部の形成方法の一例の説明図である。
【発明を実施するための形態】
【００１０】
以下本発明を、その好ましい実施形態に基づき図面を参照しながら説明する。
本発明の吸収性物品の一実施形態としての生理用ナプキン１（以下、単にナプキン１ともいう）は、就寝時の使用に適した夜用のナプキンであり、好適には、長さ３０ｃｍ以上のものである。
ナプキン１は、図１に示すように、前後方向に長い形状の吸収性本体６と、一対のウイング部７，７と、一対の後方フラップ部８，８とを有している。生理用ナプキン等の吸収性物品に関し、「前後方向」とは、着用時に着用者の前後方向と一致する方向である。また、本明細書において、前後方向が長手方向であり、これと直交する方向を幅方向という。
吸収性本体６は、その長手方向に、前方部Ａ、液排泄部対向部Ｂ及び後方部Ｃを有しており、液排泄部対向部Ｂの左右両側に一対のウイング部７，７、後方部Ｃの左右両側に一対の後方フラップ部８，８を有している。液排泄部対向部Ｂは、幅方向の中央部が着用者の液排泄部（膣口）に対向配置される部分であり、前方部Ａは、液排泄部対向部Ｂより着用者の前側（腹側）に配される部分であり、後方部Ｂは、液排泄部対向部Ｂより着用者の背中側に配される部分である。
【００１１】
ナプキン１は、着用時に着用者の肌側に向けられる肌当接面を形成する肌側シート２、着用時にショーツ等の衣類側に向けられる非肌当接面を形成する非肌側シート３、及びこれら両シート２，３間に配置された吸収性コア４を備えている。肌側シート２は、液透過性の表面シート２ａ及びその両側に接合された一対の立体ガード形成用シート２ｂ，２ｂを備えている。液透過性の表面シート２ａは、吸収性本体６の幅方向の中央部に、吸収性本体６の全長に亘るように配されている。立体ガード形成用シート２ｂは、吸収性本体の幅方向中央側の側縁部２１を表面シート２ａ上に重ねた状態で、該側縁部２１からやや幅方向の外方の位置において該表面シート２ａに接合されている。立体ガード形成用シート２ｂは、前記側縁部２１の近傍に立体ガード形成用の弾性部材（図示せず）を有しており、着用時には、その弾性部材の収縮力により、液排泄部対向部Ｂにおける該側縁部２１から所定幅の部分が表面シート２ａから離間するように起立して立体ガードを形成する。
【００１２】
一対のウイング部７，７及び一対の後方フラップ部８，８は、吸収性コア４１の両側縁から延出した立体ガード形成用シート２ｂ及び非肌側シート３からなる。一対のウイング部７それぞれの非肌側シート３からなる面には、ショーツのクロッチ部の非肌当接面に固定するためのウイング部粘着部（図示せず）が設けられ、吸収性本体６の非肌当接面には、該本体６をショーツの内面に固定するための本体粘着部（図示せず）が設けられている。後方フラップ部８は、着用時に、ショーツの内面（肌当接面）上に配される。後方フラップ部８の非肌側シート３からなる面にも、ショーツの内面に固定するための粘着部が設けられていることが好ましい。肌側シート２と非肌側シート３とは、吸収性コア４１の周縁部より外方が接着剤で互いに接合されていると共にナプキン１の周縁部において熱シールにより接合されている。肌側シート２と吸収性コア４１との間、及び吸収性コア４１と非肌側シート３との間も、ドット、スパイラル、ストライプ等のパターン塗工された接着剤により互いに接合されていることが好ましい。
【００１３】
ナプキン１における吸収性コア４は、パルプ繊維等の繊維材料からなる繊維集合体又は該繊維集合体の繊維間に高吸水性ポリマーを保持させたものからなる。吸収性コア４は、上下両面を、ティッシュペーパーや透水性の不織布からなるコアラップシート（図示略）によって被覆されている。コアラップシートは、吸収性コアの形成材料の漏れ出しを防止したり、吸収性コアの保形性を高める目的で使用される。
【００１４】
ナプキン１における吸収性コア４は、図１に示すように、ナプキン１の前後方向と同方向に長い形状を有している。また、吸収性コア４は、図２（ａ）及び図２（ｂ）に示すように、幅方向Ｙに、中央域４１及びその両側に位置する側方域４５，４５を有しており、該中央域４１は、該側方域４５，４５それぞれの上面Ｓ２，Ｓ２より上方に突出した突出部５を有している。
ナプキン１は、表面シート２ａの下に吸収性コア４の突出部５が存在することによって、肌当接面における幅方向中央部に着用者の肌側に向かって突出する隆起部１１が形成されている。
また、突出部５の幅Ｗ１〔図２（ａ）参照〕は、吸収性コアの全幅Ｗ２に対する割合が、好ましくは２０％以上、より好ましくは３０％以上であり、また、好ましくは８０％以下、より好ましくは７０％以下であり、また、好ましくは２０％以上８０％以下であり、より好ましくは３０％以上７０％以下である。
【００１５】
ナプキン１における、吸収性コア４の突出部５及びそれによって形成される隆起部１１は、図１に示すように、吸収性コアの長手方向に長い形状を有しており、ナプキン１の液排泄部対向部Ｂから後方部Ｃの一部に亘って形成されている。より具体的には、液排泄部対向部Ｂの前端部付近から後方部ＣのＸ方向中央部付近までの範囲に形成されている。
突出部５及び隆起部１１は、ナプキン１（吸収性物品）の前後方向Ｘにおいて、液排泄部対向部Ｂから後方部Ｃの一部に亘って形成されていることが好ましい。また、突出部５及び隆起部１１は、ナプキン１の前後方向Ｘの全長の３０％以上の長さに亘って形成されていることが好ましく、ナプキン１の全長の４０％以上の長さに亘って形成されていることがより好ましく、ナプキン１の全長の５０％以上の長さに亘って形成されていることが更に好ましい。後述する縦溝５０及び高密度部４１ａについても、同様である。
【００１６】
吸収性コア４の突出部５の肌当接面には、該吸収性コア４の長手方向Ｘに沿う、吸収性コアの形成材料の坪量を減らして形成された、非肌当接面側に底部を有する縦溝５０が形成されている。即ち、縦溝５０は、突出部５の一部を、エンボス加工等により圧縮して形成したものではなく、突出部５の一部に、吸収性コアの形成材料の坪量が低い部分を設けて形成されている。また、縦溝５０は、吸収性コア４の肌当接面に開口部５０ａ、非肌当接面側に底部５０ｂを有している。図１に示すナプキン１においては、突出部５に設けられている縦溝５０は１本であるが、突出部に設ける縦溝の本数は、これに限られず、幅方向Ｙに対して間欠的に、複数本設けられていてもよい。ナプキン１では、縦溝５０は、突出部５の長手方向に沿って、突出部５を縦断するように配されている。
【００１７】
また、吸収性コア４の突出部５には、縦溝５０と同様に吸収性コア４の形成材料の坪量を減らして形成された、非肌当接面側に底部を有する横溝４４ａが形成されている。横溝４４ａは、吸収性コア４の幅方向Ｙに沿って延びている。
図１に示すナプキン１においては、突出部５に、横溝４４ａは、長手方向Ｘに関して間欠的に複数本設けられている。ナプキン１では、横溝４４ａは、突出部の幅方向に沿って、突出部５を横断するように設けられている。
【００１８】
吸収性コア４の中央域４１には、図２（ａ）に示すように、高坪量部４２と縦溝５０の底部をなす低坪量部４３とが、吸収性コア４の幅方向Ｙに交互に形成されており、低坪量部４３は、吸収性コア４の長手方向Ｘに沿って延びている。高坪量部４２は、吸収性コアの形成材料の坪量が低坪量部４３に比較して相対的に高い部分であり、低坪量部４３は、吸収性コアの形成材料の坪量が高坪量部４２に比較して相対的に坪量が低い部分である。
【００１９】
吸収性コア４の中央域４１において、縦溝５０の底部をなす低坪量部４３の坪量は、高坪量部４２の坪量に対する割合が、好ましくは５％以上、より好ましくは１０％以上であり、また、好ましくは５０％以下、より好ましくは４０％以下であり、また、５％以上８０％以下であることが好ましく、１０％以上７０％以下であることがより好ましい。また、高坪量部４２の坪量は、好ましくは２００ｇ／ｍ2以上、より好ましくは３００ｇ／ｍ2以上であり、また、好ましくは８００ｇ／ｍ2以下、より好ましくは７００ｇ／ｍ2以下であり、また、２００ｇ／ｍ2以上８００ｇ／ｍ2以下であることが好ましく、３００ｇ／ｍ2以上７００ｇ／ｍ2以下であることがより好ましい。低坪量部４３の坪量は、好ましくは１０ｇ／ｍ2以上、より好ましくは１５ｇ／ｍ2以上であり、また、好ましくは４００ｇ／ｍ2以下、より好ましくは３５０ｇ／ｍ2以下であり、また、１０ｇ／ｍ2以上４００ｇ／ｍ2以下であることが好ましく、２５ｇ／ｍ2以上３００ｇ／ｍ2以下であることがより好ましい。
【００２０】
吸収性コア４の中央域４１において高坪量部４２は、縦溝５０の底部をなす低坪量部４３よりも坪量が大きいだけでなく、厚みも大きくなっている。低坪量部４３の厚みは、高坪量部４２の厚みに対する割合が、好ましくは５％以上、より好ましくは１０％以上であり、また、好ましくは５０％以下、より好ましくは４０％以下であり、また、５％以上５０％以下であることが好ましく、１０％以上４０％以下であることがより好ましい。また、高坪量部４２の厚みは、好ましくは１．５ｍｍ以上、より好ましくは２ｍｍ以上であり、また、好ましくは１０ｍｍ以下、より好ましくは８ｍｍ以下であり、また、１．５ｍｍ以上１０ｍｍ以下であることが好ましく、２ｍｍ以上８ｍｍ以下であることがより好ましい。低坪量部４３の厚みは、好ましくは０．０８ｍｍ以上、より好ましくは０．１５ｍｍ以上であり、また、好ましくは５ｍｍ以下、より好ましくは４ｍｍ以下であり、また、０．０８ｍｍ以上５ｍｍ以下であることが好ましく、０．１５ｍｍ以上４ｍｍ以下であることがより好ましい。
なお、上述した高坪量部４２の値、また低坪量部４３との関係における諸値は、本実施形態のナプキン１のように横溝４４ａを含んで吸収性コアが構成されている場合には、該横溝４４ａ含まない高坪量部において該当していれば良い。
【００２１】
〔高坪量部及び低坪量部の坪量の測定方法〕
吸収性コアを、高坪量部４２と低坪量部４３の境界線に沿ってフェザー社製片刃剃刀を用いて切断し、あらかじめ定めた面積となるように高坪量部４２及び低坪量部４３の小片を得る。高坪量部４２は、一対の低坪量部４３，４３に挟まれた部分を小片として切り出す。即ち、高坪量部４２は低坪量部４３により区画された小ブロック片として切り出す。当該小片が、幅方向に延びる横溝４４ａの底部をなす低坪量部４８を含む場合は、高坪量部４２と低坪量部４３および低坪量部４８の境界線で区画される高坪量部４２をサンプル切片として切り出し測定に用いる。低坪量部４３の小片は、一対の高坪量部４２，４２間に挟まれた細幅の部分を長さが３０ｍｍとなるように小片として切り出す。
それらの小片の重量を電子天秤(Ａ＆Ｄ社製電子天秤ＧＲ−３００、精度：小数点以下４桁)を用いて測定する。求めた重量を高坪量部４２又は低坪量部４３の小片の面積で除して小片の坪量を算出する。高坪量部４２及び低坪量部４３のそれぞれについて、小片５個の坪量の平均を坪量とする。
【００２２】
〔高坪量部及び低坪量部の厚みの測定方法〕
高坪量部４２及び低坪量部４３の厚みの測定は、各々の部位について坪量を測定するために切り出した小片の厚みを測定することで行う。吸収性物品より切り出した高坪量部４２及び低坪量部４３の小片の測定部を５ｋＰａの圧力で１０分間加圧し、除重後すぐに測定を行う。除重後のサンプルの中央域に、大きさ２０ｍｍ×２０ｍｍ、厚み３ｍｍのアクリルプレートを吸収体３の上に置き、ＫＥＹＥＮＣＥ社製非接触式レーザー変位計（レーザーヘッドＬＫ−Ｇ３０、変位計ＬＫ−ＧＤ５００を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００２３】
吸収性コア４の中央域４１では、高坪量部４２は、縦溝５０の底部をなす低坪量部４３との比較において、吸収部材の密度が高くなっている。このような構成は、例えば、吸収性コア４の中央域４１を、吸収性コア４を製造する工程においてプレスされることによって得られる。この際、プレスのよる圧力は厚みの厚い高坪量部４２に集中し、厚みの薄い低坪量部４３はプレスにより圧力を受けず圧縮されない。このように、高坪量部４２のみが圧縮されることで高坪量部４２は低坪量部４３に対して吸収部材の密度が高まるように設計されている。また、吸収性コア４の中央域４１には、高坪量部４２と、横溝４４ａの底部をなす低坪量部４８とが、吸収性コア４の長手方向Ｘに交互に形成されている。高坪量部４２は、横溝４４ａの底部をなす低坪量部４８との比較においても吸収部材の密度が高くなっている。なお、密度は、上述した測定方法に基づいて得られた坪量及び厚みを用いることで算出される。
【００２４】
一方、吸収性コア４の側方域４５においても、高坪量部４６は、縦溝５２の底部をなす低坪量部４７との比較において、吸収部材の密度が高くなっている。このような構成は、以下のようにして得ることができる。吸収性コア４の側方域４５は、中央域４１をプレスする工程とは別の工程でプレスされる。プレスによる圧力は厚みの厚い高坪量部４６に集中し、厚みの薄い低坪量部４７はプレスにより圧力を受けず圧縮されない。このように、高坪量部４６のみが圧縮されることで高坪量部４６は低坪量部４７に対して吸収部材の密度が高まるように設計されている。なお、この工程で用いるプレス工程は、中央域４１に該当する形にくり抜かれたプレスロールや吸収性コア４の側方域４５に該当する部分にのみプレス部が存在するロールを用いる等の措置を行い、吸収性コア４の側方域のみをプレスされるように工夫されている。
【００２５】
そして、坪量差及び密度差を有する高坪量部４２と低坪量部４３とが、上記の態様で形成されていることによって、吸収性コア４の中央域４１における肌当接面に、非肌当接面側に向かって凹んだ縦溝５０が、それぞれ吸収性コア４の幅方向Ｙに延びて形成されている。本明細書において、肌当接面は、吸収性物品又はその構成部材における着用時に着用者の肌側に向けられる面であり、非肌当接面は、吸収性物品又はその構成部材における着用時に着用者の肌側とは反対側に向けられる面である。
【００２６】
また、吸収性コア４の側方域４５にも、図２（ａ）に示すように、高坪量部４６と低坪量部４７とが、吸収性コア４の幅方向Ｙに交互に形成されており、個々の低坪量部４７は、吸収性コア４の長手方向Ｘに沿って延びている。高坪量部４６は、吸収性コアの形成材料の坪量が低坪量部４７に比較して相対的に高く、低坪量部４７は、吸収性コアの形成材料の坪量が高坪量部４６に比較して相対的に坪量が低い。
そして、坪量差及び密度差を有する高坪量部４６と低坪量部４７とが、上記の態様で形成されていることによって、吸収性コア４の側方域４５における肌当接面にも、非肌当接面側に向かって凹んだ複数本の側方縦溝５２が、それぞれ吸収性コア４の長手方向Ｘに延びて形成されている。
【００２７】
吸収性コア４の側方域４５において、側方縦溝５２の底部をなす低坪量部４７の坪量は、高坪量部４６の坪量に対する割合が、好ましくは５％以上、より好ましくは１０％以上であり、また、好ましくは５０％以下、より好ましくは４０％以下であり、また、５％以上５０％以下であることが好ましく、１０％以上４０％以下であることがより好ましい。また、高坪量部４６の坪量は、好ましくは５０ｇ／ｍ2以上、より好ましくは１００ｇ／ｍ2以上であり、また、好ましくは４００ｇ／ｍ2以下、より好ましくは３００ｇ／ｍ2以下であり、また、５０ｇ／ｍ2以上４００ｇ／ｍ2以下であることが好ましく、１００ｇ／ｍ2以上３００ｇ／ｍ2以下であることがより好ましい。低坪量部４７の坪量は、好ましくは２．５ｇ／ｍ2以上、より好ましくは５ｇ／ｍ2以上であり、また、好ましくは２００ｇ／ｍ2以下、より好ましくは１５０ｇ／ｍ2以下であり、また、２．５ｇ／ｍ2以上２００ｇ／ｍ2以下であることが好ましく、５ｇ／ｍ2以上１５０ｇ／ｍ2以下であることがより好ましい。
【００２８】
吸収性コア４の側方域４５において、高坪量部４６は、側方縦溝５２の底部をなす低坪量部４７よりも坪量が大きいだけでなく、厚みも大きくなっている。低坪量部４７の厚みは、高坪量部４６の厚みに対する割合が、好ましくは５％以上、より好ましくは１０％以上であり、また、好ましくは５０％以下、より好ましくは４０％以下であり、また、５％以上５０％以下であることが好ましく、１０％以上４０％以下であることがより好ましい。また、高坪量部４６の厚みは、好ましくは０．８ｍｍ以上、より好ましくは１ｍｍ以上であり、また、好ましくは５ｍｍ以下、より好ましくは４ｍｍ以下であり、また、０．８ｍｍ以上５ｍｍ以下であることが好ましく、１ｍｍ以上４ｍｍ以下であることがより好ましい。低坪量部４７の厚みは、好ましくは０．０４ｍｍ以上、より好ましくは０．０８ｍｍ以上であり、また、好ましくは０．４ｍｍ以下、より好ましくは０．３２ｍｍ以下であり、また、０．０４ｍｍ以上０．４ｍｍ以下であることが好ましく、０．０８ｍｍ以上０．３２ｍｍ以下であることがより好ましい。
なお、上述した高坪量部４６の値、また低坪量部４７との関係における諸値は、本実施形態のナプキン１のように横溝４４ｂを含んで吸収性コアが構成されている場合には、該横溝４４ｂを含まない高坪量部において該当していれば良い。
【００２９】
なお高坪量部４６と低坪量部４７各々における坪量と厚みの測定方法は、前述した高坪量部４２と低坪量部４３における測定方法と同様にして行う。
【００３０】
また、中央域４１の高坪量部４２は、側方域４５の高坪量部４６よりも坪量が大きくなっており、また、側方域４５の高坪量部４６よりも厚みも大きくなっている。これにより、中央域４１の厚みｔ１が、側方域４５の厚みｔ２よりも厚くなり、中央域４１に、側方域４５の上面Ｓ２より上方に突出した突出部５が形成されている。
中央域４１の厚みｔ１は、側方域４５の厚みｔ２に対する割合が、好ましくは１１０％以上、より好ましくは１２０％以上であり、また、好ましくは４００％以下、より好ましくは３００％以下であり、また、１１０％以上４００％以下であることが好ましく、１２０％以上３００％以下であることがより好ましい。本実施形態において、中央域４１の厚みｔ１は、中央域４１の幅方向中央部に位置する高坪量部４２の前記厚みであり、側方域４５の厚みｔ２は、中央域４１に隣接する高坪量部４６の前記厚みである。
突出部５は、液排泄部対向部Ｂ及び後方部Ｃの何れにおいても、側方域４５の上面Ｓ２から突出する高さｔの、中央域４１の全厚ｔ１に対する割合が、好ましくは２０％以上、より好ましくは３０％以上であり、また、好ましくは９０％以下、より好ましくは８０％以下であり、また、好ましくは２０％以上９０％以下であり、より好ましくは３０％以上８０％以下である。突出部５の突出高さｔは、中央域４１の全厚ｔ１から側方域４５の厚みｔ２を差し引いた値と同じである。
【００３１】
ナプキン１では、側方域４５にも、高坪量部４６と低坪量部４９とが、吸収性コア４の長手方向Ｘに交互に形成されており、個々の低坪量部４９は、吸収性コア４の幅方向Ｙに沿って延びている。これによって、側方域４５に、複数本の横溝４４ｂが、長手方向Ｘに対して間欠的に配されている。中央域４１の低坪量部４８と側方域４５の低坪量部４９は、中央域４１と側方域４５との境界部において、吸収性コア４の長手方向Ｘにおける位置が一致しており、同様に、中央域４１の横溝４４ａと側方域４５，４５の横溝４４ｂとは、前記境界部において、吸収性コア４の長手方向Ｘにおける位置が一致している。
即ち、中央域４１の横溝４４ａと側方域４５，４５の横溝４４ｂは、吸収性コア４の中央域４１から側方域４５，４５に亘って連続する１本の横溝４４を形成しており、該横溝４４は、吸収性コア４の全幅に亘って延びている。そして、その横溝４４が、吸収性コア４の長手方向に間隔を開けて複数本形成されている。換言すると、中央域４１の低坪量部４３と側方域４５の低坪量部４７とが、吸収性コア４の全幅に亘って連続して延びる一本の低坪量部を形成しており、該一本の低坪量部は、吸収性コアの形成材料の坪量、厚み及び密度が、側方域４５の高坪量部４６よりも小さい。
横溝４４に関し、中央域から側方域に亘って連続するとは、上側が解放された横溝内の空間が、中央域と側方域との間で途切れることなく、中央域から側方域に亘って連続して存在することを意味する。本実施形態のナプキン１においては、横溝４４は、縦溝５０と平面視十字状に交差しているが、縦溝を挟んで対峙する一方の側の横溝内の空間の延長上に他方の横溝内の空間の全部又は一部が存在するような場合は、縦溝との交差部で横溝は途切れていないものとする。
【００３２】
本実施形態のナプキン１では、吸収性コア４は、前中央域４１と側方域４５とが一体成形されているとともに、該中央域４１の幅方向両側部には、幅方向内側に位置する前記突出部５よりも密度が高く、側方域４５よりも坪量の高い高密度部４１ａを有している。本実施形態のナプキン１では、高密度部４１ａは、図３に示すように、ナプキンの製造時に、吸収性コア４の中央域４１における、高坪量部４２となる部分４２’と同様の厚みに形成した幅方向両側部を圧縮して形成されている。また、ナプキン１では、突出部５の縦溝５０は開口部５０ａよりも底部５０ｂの幅方向長さが狭くなっている。図２（ａ）に示すように、幅方向断面視では、縦溝５０は略Ｖ字形状となっている。中央域４１において、このような構成を有することによって、以下のような本発明に特徴的な効果を奏することができる。
【００３３】
まず、排泄部対向部Ｂで体液が中央域４１の突出部５へ排出される。長手方向Ｘへ延びる縦溝５０によって、排泄物は長手方向Ｘへと拡散され易くなっている。一方で、縦溝５０は、幅方向Ｙに関して、開口部５０ａが広く底部５０ｂが狭い形状となっているので、縦溝５０に進入した体液が縦溝５０の側壁５０ｃと接触しながら、底部５０ｂの方向へ流れていく。したがって、体液は、底部５０ｂへ至るまでに側壁５０ｃから吸収されていき、突出部５の幅方向Ｙへと拡散されながら、かつ、厚み方向へと侵入していく。中央域４１の側部には、突出部５が圧縮されて形成された高密度部４１ａが存在している。このため、幅方向Ｙ及び厚み方向へと拡がっていった体液が、高密度部へと導かれていく。高密度部は側方域４５よりも吸収性材料の坪量が高いため、体液を保持する能力が高い。したがって、体液は中央域４１の両側部で堰き止められ、ナプキン１の幅方向両側部に到達しにくい。このため、ナプキン１では、体液の横漏れが抑制され易くなっている。なお、本実施形態のナプキン１では、高密度部４１ａは側方域４５における高坪量部５２とほぼ同じ厚みを有しているので、突出部５の幅を着用者の排泄部にフィットする形状としながら、違和感を与え難い高吸収領域を設けることが容易となる。しかしながら、これに限られるものではなく、高密度部４１ａの厚みを、突出部５の厚みよりも小さく、かつ、側方域４５における高坪量部５２よりも厚くするか、または側方域４５の高坪量部５２の高さと同じになるように厚みが突出部５から側方域４５に向かって徐々に小さくなるよう傾斜を持たせることで、突出部５から側方域４５に至る傾斜領域を設けて見た目の柔らかさを与えることもできる。
【００３４】
本明細書において、「一体成形されている」とは、別の工程で製造した部材どうしを接着剤や圧縮などの接合手段で結合したものとは異なり、同一の材料を用いて、一つの工程で一体的に形成されていることを意味する。従って、例えば、中央域４１における突出部５を形成する部分４２ｕとそれより下に位置する部分４２ｄとの間には、別に製造した２つの吸収性コアを重ねた場合に生じるような層どうしの隣接部や結合部が存在せず、また、中央域４１と側方域４５，４５との境界部にも、別に製造した２つの吸収性コアを並べて配置した場合に生じるコアどうしの隣接部や結合部が存在しない。
突出部５を含めた中央域４１と一対の側方域４５，４５とが一体成形されていると、吸収する液体が、スムーズに移動し得る連続性を有するようになる。このような構造の吸収性コアの製造方法については後で説明する。
【００３５】
高密度部４１ａについて、より具体的に説明する。
ナプキン１における高密度部４１ａは、図５に要部を示す積繊装置を用いて、図３（ａ）に示すような、高密度部４１ａとなる部分を含めて肉厚に形成された中央域４１を有する吸収性コア４Ａを製造した後、その該吸収性コア４Ａの中央域４１の両側部を圧縮して形成したものである。ナプキン１では、中央域５１の突出部５の左右両側部の一定の部分が圧縮されることによって、厚みが減じられ、当該部分が、圧縮されなかった突出部５よりも密度が高い領域として高密度部４１ａが形成される。また、高密度部４１ａは、側方域４５よりも吸収性材料の坪量が高いことから、十分な吸収容量を有しているので、体液が吸収性コア４の側縁へ到達することを抑制する。したがって、体液がナプキン１の側部から漏れることを防止することが容易となる。本実施形態のナプキン１では、高密度領域４１ａは側部域４５の縦溝５０及び横溝４４の存在しない部分とほぼ同じ厚みとなっているが、これに限られず、高密度部は突出部５より厚みが薄いが、側部域４５よりは厚みが厚くても良い。
【００３６】
また、ナプキン１では、図２（ａ）に示すように、突出部５の縦溝５０は開口部５０ａから底部５０ｂに向かうに従い、徐々に幅方向長さが狭くなっており、幅方向断面視では、縦溝５０は略Ｖ字形状となっている。このような形態のほかには、階段状断面形状でも良いが、略Ｖ字状であるほうが、縦溝５０の開口部５０ａから底面５０ｂに体液が至るまでに壁面５０ｃに効率的に接触できること、徐々に隙間部が狭くなることから縦溝の開口部５０aから底部５０ｂに向かい毛管力が働き、より素早く液を吸収性コア４内部に取り込むことが可能であることから、突出部５の肌当接面側から吸収性コア４内部に取り込まれ易くなるので好ましい。
【００３７】
突出部５の縦溝５０は、開口部５０ａの幅方向長さＬａが、好ましくは０．５ｍｍ以上であり、更に好ましくは１ｍｍ以上であり、また、好ましくは５ｍｍ以下であり、更に好ましくは４ｍｍ以下であり、底部５０ｂの幅方向長さＬｂが、好ましくは１ｍｍ以下であり、更に好ましくは０．５ｍｍ以下である。底部５０ｂの幅方向長さＬｂの下限は０（ゼロ）である。
また、縦溝５０は、深さが、好ましくは０．５ｍｍ以上５．０ｍｍ以下であり、更に好ましくは１．０ｍｍ以上３．０ｍｍ以下である。また、縦溝５０は、開口部５０ａと底部５０ｂの幅方向長さの差（前記Ｌａ−前記Ｌｂ）が、好ましくは０．５ｍｍ以上３．０ｍｍ以下であり、更に好ましくは１．０ｍｍ以上２．０ｍｍ以下である。
また、縦溝５０は、開口部５０ａと底部５０ｂの幅方向長さの差（前記Ｌａ−前記Ｌｂ）に対する深さの比〔深さ／差（前記Ｌａ−前記Ｌｂ）〕が、好ましくは０．５以上２０以下であり、更に好ましくは１以上１０以下である。この範囲であると、着用中の縦溝の形状が安定化し易く、排泄物を取り込むのに好ましい形状を維持しやすくなる。
【００３８】
また、縦溝５０は、その底部５０ｂが、側方域４５の上面Ｓ２よりも下方に位置している。ここでいう、側方域４５の上面Ｓ２の位置は、側方域４５の、中央域４１に隣接する部位における高坪量部４６の上面である。縦溝５０の底部５０ｂは、吸収性コア４の長手方向Ｘにおいて、中央域４１の全域に亘って、側方域４５の上面Ｓ２よりも下方に位置していることが好ましい。このような構成とすることによって、液をナプキン１の表面から吸収性コア４の内部深くまで素早く液を移行させ吸収性コア４の内部から液を吸収性コア４の側縁に向かって液を拡散させることが可能となる。このように一旦液をナプキン１の表面から吸収性コア４の内部に取り込んだ後に吸収性コア４の内部で液を拡散させることにより、ナプキン１表面での液の拡散を抑制しナプキン１の裏面で液を拡散させることが可能となる。このために、ナプキン１表面の液による濡れる部分を小さくし、使用者に快適なドライ感を提供することができると共に、吸収性コア４の側方域４５まで液が伝達し易くなり、吸収性コア４の吸収容量をより効率よく活用することが可能であることから、長時間使用しても漏れにくい製品を提供することが可能となる。また、ナプキン１表面での液拡散が抑えられることから、ナプキン１表面とナプキン１裏面での液の拡散性の差が大きくなり、この違いから使用者にナプキン１の吸収性の高さを視覚的に訴求することも可能となる。本ナプキン１においては、中央域４１の低坪量部４３は、側方域４５の高坪量部４６より坪量及び厚みが小さく、それによって、縦溝５０、横溝４４は、それぞれ、吸収性コア４の長手方向Ｘと幅方向Ｙにおける中央域４１の全域に亘って、底部が、側方域４５の上面Ｓ２よりも下方に位置している。
【００３９】
また、本実施形態のナプキン１では、複数本の前記横溝４４は、吸収性コア４の幅方向Ｙにおいて、中央域４１の、側方域４５に隣接する部位Ｐ１，Ｐ１〔図２（ｂ）参照〕における底部４４ｄが、側方域４５の上面Ｓ２よりも下方に位置している。横溝４４の底部４４ｄは、図２（ｂ）に示すように、吸収性コア４の幅方向において、中央域４１の全域に亘って、側方域４５の上面Ｓ２よりも下方に位置していることが好ましい。本ナプキン１においては、中央域４１の低坪量部４３は、側方域４５の高坪量部４６より坪量及び厚みが小さく、それによって、縦溝５０、横溝４４は、それぞれ、吸収性コア４の長手方向Ｘと幅方向Ｙにおける中央域４１の全域に亘って、底部が、側方域４５の上面Ｓ２よりも下方に位置している。
【００４０】
縦溝５０及び横溝４４の底部が、側方域４５の上面Ｓ２の位置より下方に位置するか否かは、中央域４１の側方域４５に隣接する部位Ｐ１，Ｐ１における底部４４の厚み、および側方域４５の高坪量部４６の厚みを測定することで判断する。具体的には、先ずナプキン１より吸収性コア４を取り出し、中央域４１の底面を基点として側方域４５の高坪量部４６の厚みを測定する。厚みの測定は各々の部位を５ｋＰａの圧力で１０分間加圧し、除重後測定部位に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００を用いて行う。次に、吸収性物品よりフェザー社製片刃剃刀を用いて、中央域４１の側方域４５に隣接する部位Ｐ１，Ｐ１における底部の測定部を切り出し、５ｋＰａの圧力で１０分間加圧し、除重後すぐに厚みの測定を行う。除重後のサンプルの中央域に、大きさ２０ｍｍ×２０ｍｍ、厚み３ｍｍのアクリルプレートを吸収体３の上に置き、ＫＥＹＥＮＣＥ社製非接触式レーザー変位計（レーザーヘッドＬＫ−Ｇ３０、変位計ＬＫ−ＧＤ５００を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。先に求めた側方域４５の高坪量部４６の厚みより、中央域４１の側方域４５に隣接する部位Ｐ１，Ｐ１における底部の測定部の厚みが大きければ、縦溝５０、横溝４４の底部が、側方域４５の上面Ｓ２の位置より下方に位置する、と判断する。
【００４１】
なお、吸収性コア４は、中央域４１及び側方域４５のいずれについても、横溝及び縦溝の存在によって、肌当接面が凹凸形状を有する一方、非肌当接面側は平坦となっている。
【００４２】
本実施形態のナプキン１によれば、突出部５を有する中央域４２に、深さが深く、底部４４ｄが側方域４５の上面Ｓ２より深い位置に達すると共に、中央域４２から側方域４５にも延在する横溝４４が形成され、しかもその横溝４４が、吸収性コアの形成材料の坪量を減らして形成されているため、通常であれば湾曲の妨げになり易い突出部５を有するにも拘わらずに、変形性に富み、肌当接面に皺も生じにくい。そのため、図４に示すように、突出部５及びそれよって形成される隆起部１１を、着用者の液排泄部や臀裂に沿わせながら、全体形状を、着用者の身体形状に沿うように変形させることができ、身体の凹凸に対するフィット性に優れると共に、着用者の動きに対する追従変形性に優れ、皺や吸収性コアの折れに起因する違和感も与えにくい。
このような効果は、横溝４４の底部４４ｄが、吸収性コア４の幅方向Ｙにおける中央域４１の全域に亘って、側方域４５の上面Ｓ２よりも下方に位置していると、一層高まる。
【００４３】
しかも、吸収性コアが一体成形したものであり、横溝４４が、吸収性コアの形成材料の坪量を減らして形成したものであるため、突出部５から吸収した液が、中央域４１において厚み方向にスムーズに拡散すると共に、横溝４４の底部付近から他の部位へも液が拡散し易く、横溝４４の底部付近に滞留した液が加圧によって肌当接面に液戻りすることもない。そのため、液が多量に供給された場合等においても、肌当接面に液が残りにくく、快適な着用感が得られる。
【００４４】
このような効果がより確実に奏されるようにする観点から、中央域４１における横溝４４ａ（４４）の深さの、中央域４１の厚みｔ１に対する割合は、好ましくは５０％以上であり、より好ましくは６０％以上であり、また、好ましくは９５％以下であり、より好ましくは９０％以下であり、また、５０％以上９５％以下であることが好ましく、６０％以上９０％以下であることがより好ましい。
【００４５】
また、横溝４４の幅Ｗは、好ましくは０．２ｍｍ以上、より好ましくは０．５ｍｍ以上であり、また、好ましくは３ｍｍ以下、より好ましくは２ｍｍ以下であり、また、０．２ｍｍ以上３ｍｍ以下であることが好ましく、０．５ｍｍ以上２ｍｍ以下であることがより好ましい。横溝４４の幅Ｗは、図１に示すように、吸収性コアの長手方向Ｘにおける寸法である。
【００４６】
また、ナプキン１では、中央域４１の高坪量部４２が低坪量部４３よりも密度が高くなっていることから、横溝４４に取り込まれた体液が高坪量部４２へ素早く取り込まれるようになっている。このため、体液が横溝４４を伝わりながら、吸収性コア４の長手方向に吸収されていくので、中央域での体液吸収が効率的に行われる。結果として、吸収性コア４からの液漏れ抑制が向上する。加えて、側方域４５でも高坪量部４６が低坪量部４７より密度が高くなされているので、同様の効果が得られる。
【００４７】
中央域４１及び側方域４５それぞれにおいて、低坪量部の密度は、隣接する高坪量部の密度に対する割合が、好ましくは５％以上、より好ましくは１０％以上であり、また、好ましくは５０％以下、より好ましくは４０％以下であり、また、好ましくは５％以上５０％以下であり、より好ましくは１０％以上４０％以下である。
【００４８】
また、ナプキン１では、中央域４１において、表面シート２ａ側から吸収性コア４に向けて一体となるように圧縮した複数の圧縮部が設けられている。そして、圧縮部が中央域４１の縦溝５０と重なる部分で、表面シート２ａが縦溝５０内に陥入している。このために、着用中に表面シート２ａの浮きが発生しにくくなって、ヨレが発生しにくくなる。また、体液が圧縮部から吸収性コア４内に進入しやすくなって、体液が表面シート２ａ上を伝わって横漏れを発生するといった不都合を防止することが容易となる。このような効果は、経血等の粘性の高い体液の場合に、特に有効である。圧縮部は、例えば、図６に示すように、吸収性コア４の肌当接面側に表面シート２ａを重ね、表面シート２ａ側から、表面シート２ａ及び吸収性コア４を押圧することにより形成される。押圧は、例えば、ロールの周面に設けたエンボス用の凸部６で、図６（ａ）中の符号６１で示す部分を押圧して行う。
【００４９】
また、ナプキン１では、側方域４５にも長手方向に延びる側方縦溝５２が設けられている。側方縦溝５２は、肌当接面側に位置する開口部５２ａと非肌側面側に位置する底部５２ｂとが、幅方向における長さが略同じとなっている。ここで「略同じ」とは、長手方向において同じ位置における開口部と底部の幅方向長さの相違が、５％以内であることを言う。このような構成によってナプキン１が着用中に使用者の足部から受ける圧縮力が側方縦溝５２に均等に伝わり側方縦溝５２が均等に圧縮されるため、使用者がナプキン１から受ける圧縮力の反作用を緩和し、使用者がナプキン１装着中に感じる違和感を解消することが可能となる。なお、側方縦溝５２の開口部５２ａを底部５２ｂよりも広げた構成とすると、ナプキン１が着用中に使用者の足下部から受ける圧縮力により開口部の方がより大きく変形するため、ナプキン１の側縁部は使用者に向かって丸まるように変形することがある。このような変形は、ナプキン１側縁部が使用者の肌側向かって反ることにより、ナプキン１が鼠蹊部へ強く当たったり、ナプキン１中央部において使用者の肌とナプキン１の表面が離間を生じることがある。しかし、開口部５２ａと底部５２ｂの幅方向長さを略同じにすることによって、このような不具合の発生リスクを低減できる。しかも、本発明における中央域４１の縦溝５０の形状の安定性にも役立つ。
【００５０】
側方縦溝５２は、高密度部と隣接していることが好ましい。このような構成によって側方縦溝５２の側方側に接する吸収性コア４と側方縦溝５２の中央側に接する吸収性コア４の硬さが異なりその硬度の違いから、ナプキン１が側方縦溝５２を基軸として側縁部を使用者の肌とは反対方向に屈曲させやすくなり、着用中のナプキン１の形状をより安定させることにより、ナプキン１の着用により使用者が感じる違和感を軽減すると共に、ナプキン１中央部をより使用者の肌に密着させ、より効率よく液を吸収することが可能となる。また、液を吸引し捕捉する役割を担う高密度部と相対的に密度の低い側方縦溝５２を隣接させることで、液が高密度部よりも側方に滲出することを防止し、よりナプキン１の中央域に近い領域で液が固定され、ナプキン１の側縁部からの液の漏れが防止される効果を奏する。
【００５１】
側方縦溝５２の底面５２ａよりも、中央域４１の縦溝５０の底面５０ａが非肌当接面側に位置することが好ましい。このような構成によって、先ずより底面が非肌当接面側に位置する縦溝５０を基軸としてナプキン１の側方部が使用者の肌とは反対方向に屈曲し、次により底面が肌当接面側に位置する側方縦溝５２を基軸としてナプキン１の側方部がより使用者の肌とは反対方向に屈曲するようになり、着用中のナプキン１の形状をより安定させることが可能となる。
【００５２】
上述したナプキン１の吸収性コア４は、外周面に集積用凹部５５を備え、一方向Ｒに回転する積繊ドラム５４と、該積繊ドラム５４の外周面に吸収性コアの形成材料を飛散状態で供給するダクト（図示せず）を備えた積繊装置を用いて、前述した吸収性コア４Ａを製造した後、図３に示すような加工を施すことにより製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００５３】
図５に示すように、集積用凹部５５の底面５６の一部には、突出部５を有する中央域４１を形成するための凹部５６ａが形成されている。集積用凹部５５の底部には、低坪量部４３，４３等の低坪量部を形成するための難通気性部材５６が配置されている。難通気性部材５６は、集積用凹部５５の底面から突出するように固定されており、非通気性部材であっても良く、例えば金属やプラスチックからなる。
積繊ドラムを備えた公知の積繊装置と同様に、集積用凹部５５の底面から吸引しつつ、ダクト内に吸収性コアの形成材料を供給することによって、図５（ｂ）に示すように、吸収性コアの形成材料が集積用凹部５５内に所定形状に堆積する。その堆積物４’を、集積用凹部５５から離型することで吸収性コア４Ａが得られる。吸収性コア４Ａは、コアラップシートで被覆する前又は被覆した後、一対のロール間に通すこと等により加圧し適度に圧縮しても良い。図５（ｂ）に示すように、難通気性部材５６上に堆積したコア形成材料からなる部分４３’が低坪量部４３等となり、難通気性部材５６を有しない底面上に堆積した部分４２’が高坪量部４２等となる。また、前述したように、吸収性コア４Ａの中央域４１をプレスすることにより、中央域４１に、低坪量部４３よりも密度が高い高坪量部４２が形成され、中央域４１となる部分とは別に、側方域４５をプレスすることにより、側方域４５に、低坪量部４７よりも密度が高い高坪量部４６が形成される。また、吸収性コア４Ａの中央域４１に高坪量部４１ａを形成するプレス（圧縮）も、コアラップシートで被覆する前又は被覆した後に行うことができる。高坪量部４１ａを形成するプレス（圧縮）は、周面に段差を有するロールを用いて中央域４１のプレスと同時に行っても良いし、側方域４５のプレスと同時に行っても良い。また、ロール周面に形成される段差を適切な寸法に設計することで、中央域４１のプレス及び側方域４５のプレスと同時に行うことも可能である。更に、中央域４１のプレス及び側方域４５のプレスと別の工程で行うことも可能であり、中央域４１のプレスより前、中央域４１のプレスと側方域４５のプレスとの間、側方域４５のプレス後に、それらのプレスとは別の工程で行っても良い。
吸水性ポリマーを含む吸収性コアを製造する場合、ダクトの途中に吸水性ポリマーの導入部を設けることが好ましい。
【００５４】
表面シート２ａ及び非肌側シート３としては、当該技術分野において従来用いられてきたものと同様のものを特に制限なく用いることができる。例えば、表面シート２ａとしては、液透過性を有する不織布や、穿孔フィルムを用いることができる。非肌側シート３としては、合成樹脂製の液不透過性フィルムや、スパンボンド−メルトブローン−スパンボンド積層不織布等の耐水圧が高い撥水性の不織布を用いることができる。また、立体ガード形成用シート２ｂとしては、耐水圧が高い撥水性の不織布、例えば、スパンボンド−メルトブローン−スパンボンド積層不織布等を用いることができる。
【００５５】
以上、本発明をその好ましい実施形態に基づき説明したが、本発明は前記実施形態に制限されない。
例えば、中央域４１から側方域４５に亘って連続する横溝４４は、吸収性物品の液排泄部対向部のみに形成されていても良いし、後方部のみに形成されていても良い。
【００５６】
また、吸収性コアは、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コアには、高吸水性ポリマー以外に、消臭剤や抗菌剤等を必要に応じて配合しても良い。
【００５７】
また、上述した実施形態では、低坪量部よりも高坪量部が密度が高くなされていたが、吸収性コアのプレス工程を省略することによって、両者の密度を同じとしても良い。
また、中央域４１に形成された縦溝５０に押圧部６１（圧縮部）で表面シート２ａを陥入させるのに加え、又はそれに代えて、中央域４１に形成された横溝４４ａに、押圧部で表面シート２ａを陥入させても良い。
【００５８】
また、本発明の吸収性物品は、生理用ナプキンの他、パンティライナー（おりものシート）、失禁パッド、使い捨ておむつ等の他の吸収性物品であっても良い。上述した一の実施形態における説明省略部分及び一の実施形態のみが有する要件は、それぞれ他の実施形態に適宜適用することができ、また、各実施形態における要件は、適宜、実施形態間で相互に置換可能である
【００５９】
上述した実施形態に関し、本発明は更に以下の吸収性物品を開示する。
＜１＞  吸収性物品の前後方向に長い形状の吸収性コアを備えた吸収性物品であって、
前記吸収性コアは、その幅方向に、中央域及びその両側に位置する側方域を有し、該中央域は、該側方域それぞれの上面より上方に突出した突出部を有しており、前記吸収性コアは、前記中央域と前記側方域とが一体成形されているとともに、該中央域の幅方向両側部には前記突出部よりも密度が高く、前記側方域よりも坪量の高い高密度部を有しており、前記突出部の肌当接面には、該吸収性コアの長手方向に沿う、吸収性コアの形成材料の坪量を減らして形成された、非肌当接面側に底部を有する縦溝が形成されており、前記縦溝は開口部よりも前記底部の幅方向長さが狭くなっている、吸収性物品。
＜２＞  前記縦溝は、開口部から底部に向かって徐々に幅方向長さが狭くなっている、前記＜１＞に記載の吸収性物品。
＜３＞  前記突出部には、吸収性コアの幅方向に向かって延びる横溝が形成されている、前記＜１＞又は＜２＞に記載の吸収性物品。
＜４＞  前記横溝は、前記縦方向に対して間欠的に複数配されている、前記＜３＞に記載の吸収性物品。
＜５＞  前記縦溝は、前記突出部を縦方向に縦断している、前記＜１＞〜＜４＞の何れか１つに記載の吸収性物品。
＜６＞  前記吸収性コアの肌当接面側には液透過性の表面シートが配され、該表面シートと該吸収性コアとが一体的に押圧された押圧部が前記中央域に設けられており、前記縦溝又は横溝では、前記押圧部で前記表面シートが陥入している、前記＜１＞〜＜５＞の何れか１つに記載の吸収性物品
＜７＞  前記吸収性コアの側方域の肌当接面側には長手方向に延びる側方縦溝が配されており、該側方縦溝は開口部と底部の幅方向長さが略同じである、前記＜１＞〜＜６＞の何れか１つに記載の吸収性物品。
＜８＞  前記高密度部が、前記側方縦溝と接している前記＜１＞〜＜７＞の何れか１つに記載の吸収性物品。
＜９＞  前記中央域の前記側方域に隣接する部位における前記縦溝の底部が、該側方域の上面よりも下方に位置する、前記＜１＞〜＜８＞の何れか１つに記載の吸収性物品。
＜１０＞  前記中央域の前記側方域に隣接する部位における前記縦溝の底部が、該側方縦溝の底面よりも下方に位置する、前記＜１＞〜＜９＞の何れか１つに記載の吸収性物品。
【００６０】
＜１１＞  前記横溝は非肌面側に底部を有しており、該底部が前記側方域の上面よりも非肌当接面側に位置している、前記＜３＞〜＜１０＞の何れか１つに記載の吸収性物品。
＜１２＞  前記突出部の幅は、吸収性コアの全幅に対する割合が２０％以上８０％以下である、前記＜１＞〜＜１１＞の何れか１つに記載の吸収性物品。
＜１３＞  前記突出部は、吸収性物品の前後方向の全長の３０％以上の長さに亘って形成されている前記＜１＞〜＜１２＞の何れか１つに記載の吸収性物品。
＜１４＞  吸収性コアの中央域では、高坪量部は低坪量部に対して吸収部材の密度が高い前記＜１＞〜＜１３＞の何れか１つに記載の吸収性物品。
＜１５＞  前記中央域では、前記縦溝の底部をなす低坪量部の坪量は、高坪量部の坪量に対する割合が５％以上８０％以下である前記＜１＞〜＜１２＞の何れか１つに記載の吸収性物品。
＜１６＞  前記中央域において、前記低坪量部の厚みは、前記高坪量部の厚みに対する割合が５％以上５０％以下である前記＜１５＞に記載の吸収性物品。
＜１７＞  前記中央域の厚みは、前記側方域の厚みに対する割合が１１０％以上４００％以下である、前記＜１＞〜＜１６＞の何れか１つに記載の吸収性物品。
＜１８＞  前記中央域の横溝と側方域の横溝は、吸収性コアの中央域から側方域に亘って連続する１本の横溝を形成しており、該横溝は、吸収性コアの全幅に亘って延びている前記＜３＞〜＜１７＞の何れか１つに記載の吸収性物品。
＜１９＞  前記側方域では、前記縦溝と表面シートとの間に間隙が存在する、前記＜１＞〜＜１８＞の何れか１つに記載の吸収性物品。
＜２０＞  前記中央域において、前記横溝では、前記押圧部で前記表面シートが陥入している前記＜１＞〜＜１９＞の何れか１つに記載の吸収性物品。
【００６１】
＜２１＞  前記突出部の前記縦溝は、開口部の幅方向長さＬａが、好ましくは０．５ｍｍ以上、更に好ましくは１ｍｍ以上であり、また、好ましくは５ｍｍ以下、更に好ましくは４ｍｍ以下である、前記＜１＞〜＜２０＞の何れか１つに記載の吸収性物品。
＜２２＞  前記突出部の前記縦溝は、底部の幅方向長さＬｂが、好ましくは１ｍｍ以下、更に好ましくは０．５ｍｍ以下であり、下限は０（ゼロ）である、前記＜１＞〜＜２１＞の何れか１つに記載の吸収性物品。
＜２３＞  前記突出部の前記縦溝は、深さが０．５ｍｍ以上５．０ｍｍ以下であり、更に好ましくは１．０ｍｍ以上３．０ｍｍ以下である、前記＜１＞〜＜２２＞の何れか１つに記載の吸収性物品。
＜２４＞  前記中央域の前記縦溝は、開口部と底部の幅方向長さの差（前記Ｌａ−前記Ｌｂ）が０．５ｍｍ以上３．０ｍｍ以下であり、更に好ましくは１．０ｍｍ以上２．０ｍｍ以下である、前記＜１＞〜＜２３＞の何れか１つに記載の吸収性物品。
＜２５＞  前記中央域の前記縦溝は、開口部と底部の幅方向長さの差（前記Ｌａ−前記Ｌｂ）に対する深さの比〔深さ／差（前記Ｌａ−前記Ｌｂ）〕が０．５以上２０以下であり、更に好ましくは１以上１０以下である、前記＜１＞〜＜２４＞の何れか１つに記載の吸収性物品。
＜２６＞  前記吸収性物品は生理用ナプキンである、前記＜１＞〜＜２５＞の何れか１つに記載の吸収性物品。
【符号の説明】
【００６２】
１  生理用ナプキン
２  肌側シート
２ａ  表面シート
２ｂ  立体ガード形成用シート
３  非肌側シート
Ｓ２  側方域の上面
４，４Ａ，ＡＢ  吸収性コア
４１  中央域
４１ａ高密度部
４２  高坪量部
４３  低坪量部
４５  側方域
４６  高坪量部
４７  低坪量部
５  突出部
６  吸収性本体
７  ウイング部
８  後方フラップ部
１１  隆起部
４４  横溝
４４ａ  中央域の横溝
４４ｂ  側方域の横溝
５０  中央域の縦溝
５０ａ  縦溝の開口部
５０ｂ  縦溝の底部
５０ｃ  縦溝の壁部
５２  側方域の縦溝（側方縦溝）
５４  集積用凹部
５５  積繊ドラム
５６  集積用凹部の底面
５６ａ  凹部
難通気性部材
５７  難通気性部材
Ａ  前方部
Ｂ  液排泄部対向部
Ｃ  後方部
【図１】
2015112235.tif 000003
【図２】
2015112235.tif 000004
【図３】
2015112235.tif 000005
【図４】
2015112235.tif 000006
【図５】
2015112235.tif 000007
【図６】
2015112235.tif 000008